(57)【要約】【課題】ＲＧＢ信号出力用の１つの出力ポートにＣＲＴコネクタとＬＣＤコネクタが共通接続されていても、そのＬＣＤコネクタに接続される液晶ディスプレイの画質の低下を防ぐことができる電子機器を提供する。【解決手段】第１出力ポート２ａよＣＲＴコネクタ１２との間のＲＧＢインターフェース１１に、バッファ１３を設ける。ＣＲＴディスプレイ２２側で生じて液晶ディスプレイ２４側に流入しようとする反射波を、そのバッファ１３で阻止する。【選択図】図１
2011022487.tif 000002
【特許請求の範囲】
【請求項１】
ＲＧＢ信号出力用の少なくとも１つの出力ポートを有する制御ユニットと、
前記出力ポートに接続されたＣＲＴディスプレイ用のＣＲＴコネクタと、
前記出力ポートに接続され、その出力ポートから出力されるＲＧＢ信号をＬＶＤＳ信号に変換するＲＧＢ／ＬＶＤＳ変換回路と、
このＲＧＢ／ＬＶＤＳ変換回路の出力端に接続された液晶ディスプレイ用のＬＣＤコネクタと、
前記出力ポートと前記ＣＲＴコネクタとの接続間に設けられたバッファ回路と、
を備えることを特徴とする電子機器。
【請求項２】
前記出力ポートと前記ＣＲＴコネクタとの間に接続され、その出力ポートから出力されるＲＧＢ信号を伝送する第１ＲＧＢインターフェースと、
前記出力ポートとＲＧＢ／ＬＶＤＳ変換回路との間に接続され、その出力ポートから出力されるＲＧＢ信号を伝送する第２ＲＧＢインターフェースと、
前記ＲＧＢ／ＬＶＤＳ変換回路の出力端と前記ＬＣＤコネクタとの間に接続され、そのＲＧＢ／ＬＶＤＳ変換回路から出力されるＬＶＤＳ信号を前記ＬＣＤコネクタに伝送するＬＶＤＳインターフェースと、
をさらに備え、
前記バッファ回路は、前記第１ＲＧＢインターフェースに設けられている、
ことを特徴とする請求項１記載の電子機器。
【請求項３】
前記制御ユニットは、ＣＰＵおよびＭＣＨを有し、そのＭＣＨから前記出力ポートを導出していることを特徴とする請求項１または請求項２に記載の電子機器。
【請求項４】
ＲＧＢ信号出力用の第１出力ポートおよびＬＶＤＳ信号出力用の第２出力ポートを有する制御ユニットと、
前記第１出力ポートに接続されたＣＲＴディスプレイ用のＣＲＴコネクタと、
前記第１出力ポートに接続され、その第１出力ポートから出力されるＲＧＢ信号をＬＶＤＳ信号に変換するＲＧＢ／ＬＶＤＳ変換回路と、
このＲＧＢ／ＬＶＤＳ変換回路の出力端に接続された液晶ディスプレイ用の第１ＬＣＤコネクタと、
前記第２出力ポートに接続された液晶ディスプレイ用の第２ＬＣＤコネクタと、
前記第１出力ポートと前記ＣＲＴコネクタとの接続間に設けられたバッファ回路と、
を備えることを特徴とする電子機器。
【請求項５】
前記第１出力ポートと前記ＣＲＴコネクタとの間に接続され、その第１出力ポートから出力されるＲＧＢ信号を伝送する第１ＲＧＢインターフェースと、
前記第１出力ポートとＲＧＢ／ＬＶＤＳ変換回路との間に接続され、その第１出力ポートから出力されるＲＧＢ信号を伝送する第２ＲＧＢインターフェースと、
前記ＲＧＢ／ＬＶＤＳ変換回路の出力端と前記第１ＬＣＤコネクタとの間に接続され、そのＲＧＢ／ＬＶＤＳ変換回路から出力されるＬＶＤＳ信号を前記ＬＣＤコネクタに伝送する第１ＬＶＤＳインターフェースと、
前記第２出力ポートと前記第２ＣＲＴコネクタとの間に接続され、その第２出力ポートから出力されるＬＶＤＳ信号を伝送する第２ＬＶＤＳインターフェースと、
をさらに備え、
前記バッファ回路は、前記第１ＲＧＢインターフェースに設けられている、
ことを特徴とする請求項４記載の電子機器。
【請求項６】
前記制御ユニットは、ＣＰＵおよびＭＣＨを有し、そのＭＣＨから前記第１出力ポートおよび前記第２出力ポートを導出していることを特徴とする請求項４または請求項５に記載の電子機器。
【発明の詳細な説明】
【技術分野】
【０００１】
この発明は、複数台の表示器の接続が可能な電子機器に関する。
【背景技術】
【０００２】
各種情報処理を行う電子機器は、本体でデータ処理した結果を可視化する出力手段として、表示器を備えている。機器本体と表示器とは、インターフェースによって接続され、データ伝送を行なっている。インターフェースは、コネクタの形状、電気信号の形式、データやり取りの手順や形式などが定められている。電子機器が、情報処理の結果を表示器に表示する際には、インターフェースに合わせてデータ伝送を行なう。表示器としては、ＣＲＴ（カソード・レイ・チューブ）ディスプレイ、液晶ディスプレイ（ＬＣＤ、Liquid Crystal Display）などがある。
【０００３】
電子機器の使い方として、特許文献１に示されているように、本体に複数台の表示器を接続し、処理の情報を複数台の表示器で表示して複数の人に提示する例がある。この場合、電子機器の本体に、複数台の表示器を接続するための複数のコネクタが用意される。
【０００４】
一方、電子機器の制御の中枢となる制御ユニットは、ＣＰＵ（Central Processing Unit）およびＭＣＨ（Memory Controller Hub）などで構成されている。制御ユニットを構成する電子部品の価格は、電子機器全体の価格に占める割合が高い。したがって、廉価版の電子機器になると、表示器を接続するインターフェースである出力ポートが、赤（Red）、緑（Green）、青（Blue）の三原色に対応した信号を出力するＲＧＢ信号出力用のもの１つしかなかったり、あるいはＲＧＢ信号出力用およびＬＶＤＳ（Low voltage differential signaling）信号出力用のせいぜい２つしかない。なお、ＬＶＤＳは、インターフェース規格TIA/EIA644で標準化された液晶ディスプレイへの信号伝送方式である。
【０００５】
ＲＧＢ信号出力用の１つの出力ポートしか持たない電子機器に、１台のＣＲＴディスプレイおよび１台の液晶ディスプレイを接続しようとすると、出力ポートにＲＧＢインターフェースを介してＣＲＴコネクタが接続され、同じ出力ポートにＲＧＢインターフェース、ＲＧＢ／ＬＶＤＳ変換回路、およびＬＶＤＳインターフェースを介してＬＣＤコネクタが接続される。そして、ＣＲＴコネクタに１台のＣＲＴディスプレイがケーブル接続され、ＬＣＤコネクタにもう１台の液晶ディスプレイがケーブル接続される。
【発明の概要】
【発明が解決しようとする課題】
【０００６】
上記のように、ＲＧＢ信号出力用の１つの出力ポートにＣＲＴコネクタとＬＣＤコネクタが共通接続される状況では、ＣＲＴコネクタとＣＲＴディスプレイとの間のケーブルの長さによっては、インピーダンスのアンマッチングが生じ、その影響で、ＣＲＴディスプレイに供給されたＲＧＢ信号がＣＲＴディスプレイ側で反射して戻るいわゆる波形反射を生じることがある。この場合、反射波が液晶ディスプレイ側に流入し、液晶ディスプレイで表示される画像の画質が低下してしまう。
【０００７】
この発明は、上記の事情を考慮したもので、ＲＧＢ信号出力用の１つの出力ポートにＣＲＴコネクタとＬＣＤコネクタが共通接続される状況であっても、ＬＣＤコネクタに接続される液晶ディスプレイの画質の低下を防ぐことができる電子機器を提供することを目的とする。
【課題を解決するための手段】
【０００８】
請求項１に係る発明の電子機器は、ＲＧＢ信号出力用の少なくとも１つの出力ポートを有する制御ユニットと、前記出力ポートに接続されたＣＲＴディスプレイ用のＣＲＴコネクタと、前記出力ポートに接続され、その出力ポートから出力されるＲＧＢ信号をＬＶＤＳ信号に変換するＲＧＢ／ＬＶＤＳ変換回路と、このＲＧＢ／ＬＶＤＳ変換回路の出力端に接続された液晶ディスプレイ用のＬＣＤコネクタと、前記出力ポートと前記ＣＲＴコネクタとの接続間に設けられたバッファ回路と、を備える。
【発明の効果】
【０００９】
この発明の電子機器によれば、ＲＧＢ信号用の１つの出力ポートにＣＲＴコネクタとＬＣＤコネクタが共通接続される状況であっても、そのＬＣＤコネクタに接続される液晶ディスプレイの画質の低下を防ぐことができる。
【図面の簡単な説明】
【００１０】
【図１】この発明の一実施形態の構成を示すブロック図。
【発明を実施するための最良の形態】
【００１１】
以下、この発明の一実施形態について図面を参照して説明する。  
図１において、１はＰＯＳ（販売時点情報管理）ターミナルや電子キャッシュレジスタ等の電子機器の本体で、制御の中枢である制御ユニット２を搭載している。この制御ユニット２は、ＣＰＵ３およびＭＣＨ４を有するとともに、ＭＣＨ４から第１出力ポート２ａおよび第２出力ポート２ｂを導出している。第１出力ポート２ａは、ＣＲＴディスプレイ用のＲＧＢ信号を出力する。第２出力ポート２ｂは、液晶ディスプレイ用のＬＶＤＳ信号を出力する。なお、ＭＣＨ４は、ＣＰＵ３とメモリとの接続などを担い、専用バスを介してＩＣＨ（I/O Controller Hub）５が接続されている。
【００１２】
上記第１出力ポート２ａに第１ＲＧＢインターフェース１１を介してＣＲＴディスプレイ用のＣＲＴコネクタ１２が接続され、そのＲＧＢインターフェース１１にオペアンプ等のバッファ１３が設けられる。
【００１３】
同じ第１出力ポート２ａに第２ＲＧＢインターフェース１４を介してＲＧＢ／ＬＶＤＳ変換回路１５の入力端が接続され、そのＲＧＢ／ＬＶＤＳ変換回路１５の出力端に第１ＬＶＤＳインターフェース１６を介して液晶ディスプレイ用の第１ＬＣＤコネクタ１７が接続される。ＲＧＢ／ＬＶＤＳ変換回路１５は、入力されるＲＧＢ信号をＬＶＤＳ信号に変換して出力する。
【００１４】
上記第２出力ポート２ｂに第２ＬＶＤＳインターフェース１８を介して液晶ディスプレイ用の第２ＬＣＤコネクタ１９が接続される。
【００１５】
そして、ＣＲＴコネクタ１２に、ケーブル２１を介してＣＲＴディスプレイ２２が接続される。ＬＣＤコネクタ１７に、ケーブル２３を介して液晶ディスプレイ２４が接続される。ＬＣＤコネクタ１９に、ケーブル２５を介して液晶ディスプレイ２６が接続される。
【００１６】
作用を説明する。
【００１７】
ＣＲＴコネクタ１２からＣＲＴディスプレイ２２までのケーブル２１の長さによっては、インピーダンスのアンマッチングが生じ、その影響で、ＣＲＴディスプレイ２２に供給されたＲＧＢ信号がＣＲＴディスプレイ２２側で反射して戻るいわゆる波形反射を生じ、その反射波が同じ第１出力ポート２ａに接続されている第２ＲＧＢインターフェース１４およびＲＧＢ／ＬＶＤＳ変換回路１５の側に流入する心配がある。
【００１８】
ただし、第１ＲＧＢインターフェース１１にバッファ１３が存在することにより、反射波はそのバッファ１３で反射波の流れが阻止される。つまり、反射波が第２ＲＧＢインターフェース１４やＲＧＢ／ＬＶＤＳ変換回路１５の側に流入することはない。
【００１９】
したがって、ＲＧＢ信号出力用の１つの出力ポート２ａにＣＲＴコネクタ１２と第１ＬＣＤコネクタ１７が共通接続されている状況であっても、第１ＬＣＤコネクタ１７に接続される液晶ディスプレイ２４の画質の低下を未然に防ぐことができる。すなわち、ＣＲＴディスプレイ２２および液晶ディスプレイ２４，２６の全てにおいて、常に良好な画質の表示が可能である。
【００２０】
なお、上記実施形態では、ＭＣＨ４から２つの出力ポート２ａ，２ｂが導出されている場合を例に説明したが、出力ポート２ａのみ導出されている場合についても、同様に実施できる。また、ＰＯＳターミナルや電子キャッシュレジスタ等の電子機器を例に説明したが、他の電子機器についても同様に実施可能である。  
その他、この発明は上記実施形態に限定されるものではなく、要旨を換えない範囲で種々変形実施可能である。
【符号の説明】
【００２１】
１…電子機器の本体、２…制御ユニット、２ａ…第１出力ポート、２ｂ…第２出力ポート、３…ＣＰＵ、４…ＭＣＨ、１１…第１ＲＧＢインターフェース、１２…ＣＲＴコネクタ、１３…バッファ、１４…第２ＲＧＢインターフェース、１５…ＲＧＢ／ＬＶＤＳ変換回路、１６…第１ＬＶＤＳインターフェース、１７…第１ＬＣＤコネクタ、１８…第２ＬＶＤＳインターフェース、１９…第２ＬＣＤコネクタ、２１，２３，２５…ケーブル、２２…ＣＲＴディスプレイ、２４，２６…液晶ディスプレイ
【先行技術文献】
【特許文献】
【００２２】
【特許文献１】特開２００４−７８０４２号公報
【図１】
2011022487.tif 000003